(57)【特許請求の範囲】
【請求項１】
一次巻線と複数の二次巻線とを有するトランスを有し、且つ、複数の二次巻線から交番電力を出力する電力供給手段と、
前記複数の二次巻線の第１の二次巻線に接続される第１の巻線と第１の整流平滑回路との第１の直列接続体と、
複数のＬＥＤが直列接続されてなり且つ前記第１の整流平滑回路から平滑化された電力が供給される第１のＬＥＤ負荷と、
前記第１の二次巻線に接続される第２の巻線と第２の整流平滑回路との第２の直列接続体と、
複数のＬＥＤが直列接続されてなり且つ前記第２の整流平滑回路から平滑化された電力が供給される第２のＬＥＤ負荷と、
前記第１及び第２のＬＥＤ負荷群に流れる電流に基づき前記第１及び第２のＬＥＤ負荷に供給される電力を制御する電力制御部と、
前記複数の二次巻線の第２の二次巻線の両端に接続される直流負荷と、を備え、
前記第１及び第２の巻線は、互いに電磁的に結合され、
前記電力供給手段は、前記直流負荷に供給される電力に基づき前記交番電力を制御することを特徴とするＬＥＤ駆動装置。
【請求項２】
前記第１及び第２の整流平滑回路は、複数のダイオードと複数のコンデンサとを有する倍電圧整流回路であることを特徴とする請求項１に記載のＬＥＤ駆動装置。
【請求項３】
前記第１及び第２のＬＥＤ負荷群に流れる電流を一括して検出し、電流検出信号を出力する電流検出部を有し、
前記電力制御部は、前記電流検出信号に基づき前記第１及び第２のＬＥＤ負荷群に供給される電力を制御することを特徴とする請求項１又は２に記載のＬＥＤ駆動装置。
【請求項４】
前記電力制御部は、前記交番電力を所定の電圧に変換する昇圧チョッパ回路を有することを特徴とする請求項１乃至３のいずれか１項に記載のＬＥＤ駆動装置。
【請求項５】
前記直流負荷に供給される電圧を検出し、電圧検出信号を出力する負荷電圧検出部を有し、前記電力供給手段は、前記電圧検出信号に基づき前記交番電力を制御することを特徴とする請求項１乃至４のいずれか１項に記載のＬＥＤ駆動装置。
【請求項６】
前記トランスは第３の二次巻線を有し、前記電力制御部は、前記第３の二次巻線に接続されることを特徴とする請求項１乃至５のいずれか１項に記載のＬＥＤ駆動装置。
【発明の詳細な説明】
【技術分野】
【０００１】
本発明は、ＬＥＤ駆動装置に関する。より詳細には、本発明は、ＬＥＤ負荷及びその他の負荷へ電力を供給するＬＥＤ駆動装置に関する。
【背景技術】
【０００２】
従来、直列に接続された複数のＬＥＤ（Light Emitting Diode）を駆動するＬＥＤ駆動装置として、例えば特許文献１が知られる。
【０００３】
特許文献１に開示されたＬＥＤ駆動装置は、複数のＬＥＤ素子を直列に接続したＬＥＤ負荷群（ＬＥＤストリング）が複数個並列に接続されて構成されている。しかし、ＬＥＤ素子は、それぞれ異なるＶｆ（順方向電圧）を有するため、複数のＬＥＤ負荷群が並列に接続された状態で駆動されると、ＬＥＤ負荷群のそれぞれに流れる電流は、アンバランスとなってしまう。そこで、特許文献１では、各々のＬＥＤ負荷群に対応する定電流回路を設けることにより、ＬＥＤ負荷群のそれぞれに流れる電流を制御し、ＬＥＤ負荷群に流れる電流をバランスさせている。
【特許文献１】特開２００４−３１９５８３号公報
【発明の概要】
【発明が解決しようとする課題】
【０００４】
しかしながら、従来のＬＥＤ駆動装置では、ＬＥＤ負荷群の並列数に応じて定電流回路が必要となり、ＬＥＤ駆動装置の大型化及び高コスト化を招来する。さらに、従来のＬＥＤ駆動装置は、ＬＥＤ負荷以外の負荷に電力を供給することに関して考慮していなかった。
【０００５】
本発明の目的は、上記問題点に鑑み、ＬＥＤ負荷群及びその他の負荷へ供給する電力を確保しつつ、ＬＥＤ負荷群のそれぞれに流れる電流をバランスさせることが可能なＬＥＤ駆動装置を簡易且つ安価に構成することにある。
【課題を解決するための手段】
【０００６】
上記課題を解決するために本発明に係るＬＥＤ駆動装置は、一次巻線と複数の二次巻線とを有するトランスを有し、且つ、複数の二次巻線から交番電力を出力する電力供給手段と、前記複数の二次巻線の第１の二次巻線に接続される第１の巻線と第１の整流平滑回路との第１の直列接続体と、複数のＬＥＤが直列接続されてなり且つ前記第１の整流平滑回路から平滑化された電力が供給される第１のＬＥＤ負荷と、前記第１の二次巻線に接続される第２の巻線と第２の整流平滑回路との第２の直列接続体と、複数のＬＥＤが直列接続されてなり且つ前記第２の整流平滑回路から平滑化された電力が供給される第２のＬＥＤ負荷と、前記第１及び第２のＬＥＤ負荷群に流れる電流に基づき前記第１及び第２のＬＥＤ負荷に供給される電力を制御する電力制御部と、前記複数の二次巻線の第２の二次巻線の両端に接続される直流負荷と、を備え、前記第１及び第２の巻線は、互いに電磁的に結合され、前記電力供給手段は、前記直流負荷に供給される電力に基づき前記交番電力を制御することを特徴とする。
【発明の効果】
【０００７】
本発明に係るＬＥＤ駆動装置によれば、電力供給手段のトランスを構成する複数の二次巻線からＬＥＤ負荷群及びその他の直流負荷へ電力が供給される。さらに、第１及び第２のＬＥＤ負荷群第１及び第２の整流平滑回路に接続される第１及び第２の巻線が互いに電磁結合されるため、第１及び第２のＬＥＤ負荷群に流れる電流はバランスされる。従って、ＬＥＤ負荷群及びその他の負荷へ供給する電力を確保しつつ、ＬＥＤ負荷群のそれぞれに流れる電流をバランスさせることが可能なＬＥＤ駆動装置を簡易且つ安価に構成することができる。
【図面の簡単な説明】
【０００８】
【図１】本発明の第１の実施形態に係るＬＥＤ駆動装置１００の回路構成図である。
【図２】スイッチング回路２１の詳細な回路構成図（ａ）及び電力制御手段６の詳細な回路構成図（ｂ）である。
【図３】ＬＥＤのＶｆ−Ｉｆ特性を示した図である。
【図４】本発明の第２の実施形態に係るＬＥＤ駆動装置２００の回路構成図である。
【図５】本発明の第３の実施形態に係るＬＥＤ駆動装置３００の回路構成図である。
【図６】本発明の第４の実施形態に係るＬＥＤ駆動装置４００の回路構成図である。
【図７】電流バランス部３及び第１の整流平滑部４の詳細な回路構成図である。
【図８】電流バランス部３及び第１の整流平滑部４の変形された回路構成図である。
【図９】電流バランス部３及び第１の整流平滑部４の変形された回路構成図である。
【図１０】電流バランス部３及び第１の整流平滑部４の変形された回路構成図である。
【発明を実施するための形態】
【０００９】
以下、本発明の実施の形態のＬＥＤ駆動装置を、図面を参照しながら詳細に説明する。以下の図面の記載において、同一又は類似の部分には同一又は類似の符号を付している。ただし、図面は模式的なものであり、現実のものとは異なる。また、図面相互間においても互いの寸法の関係や比率が異なる部分が含まれている場合がある。
【実施例１】
【００１０】
図１は、本発明の第１の実施形態に係るＬＥＤ駆動装置１００の回路構成を示した図である。ＬＥＤ駆動装置１００は、一次巻線Ｎｐと二次巻線Ｎｓ１及びＮｓ２とを有するトランスＴと、電力供給手段２と、電流バランス部３と第１及び第２の整流平滑回路を含む第１の整流平滑部４と、複数のＬＥＤ負荷を含むＬＥＤ負荷群５と、電力制御部６と、直流負荷１１と、を備える。
【００１１】
本実施形態に係るＬＥＤ駆動装置１００は、４系統のＬＥＤ負荷ＬＤ１〜ＬＤ４から構成されるＬＥＤ負荷群を駆動するものとして説明する。また、各ＬＥＤ負荷を構成するＬＥＤ素子は、異なるＶｆ（順方向電圧）を有するため、各ＬＥＤ負荷ＬＤ１〜ＬＤ４はそれぞれ異なるインピーダンスを有する。
【００１２】
直流電源１は、バッテリ等の直流電源で構成されるか、又は商用電源等の交流電源から整流平滑回路を介して得られる周知の直流電源で構成される。
【００１３】
電力供給手段２は、スイッチング素子を含むスイッチング回路２１とスイッチ制御手段２２とトランスＴとから構成される。スイッチング回路２１は、直流電源１に接続され、負荷電圧検出部９の出力に基づきスイッチ制御手段２２から出力される制御信号により、スイッチング素子をオンオフ動作させることで、直流電源１からの直流電圧を高周波の交流電圧（交番電圧）に変換し、トランスＴの一次巻線Ｎｐに供給する。この交流電圧は、電力供給手段２の出力電圧として、トランスＴの第１の二次巻線Ｎｓ１から電流バランス部３に供給されるとともに、第２の二次巻線Ｎｓ２から第２の整流平滑部８に供給される。
【００１４】
図２は、本実施形態に係るスイッチング回路２１の詳細な回路構成（ａ）及び電力制御手段６の詳細な回路構成（ｂ）を示す。電力供給手段２は、例えば、共振型スイッチング電源装置から構成される。詳細には、正弦波状の交番電流を供給するために、直流電源１の両端に、ＭＯＳＦＥＴからなるスイッチング素子ＱＨとＭＯＳＦＥＴからなるスイッチング素子ＱＬとの直列回路が接続されている。スイッチング素子ＱＨとスイッチング素子ＱＬとの接続点にトランスＴの１次巻線Ｎｐと電流共振コンデンサＣｒｉとの直列共振回路が接続されている。トランスＴは、リーケージインダクタンスＬｒ１，Ｌｒ２を有する。ＬｐはトランスＴの励磁インダクタンスである。スイッチング素子ＱＬとスイッチング素子ＱＨとが交互にオンオフすることで、トランスＴの二次巻線Ｎｓ１及びＮｓ２からリーケージインダクタンスＬｒ１、Ｌｒ２と電流共振コンデンサＣｒｉで共振した正弦波状の交番電流を供給する。
【００１５】
電流バランス部３は、トランスＴの第１の二次巻線Ｎｓ１から供給される交流電圧を複数の出力端子から第１の整流平滑部４に出力する。電流バランス部３は、複数のＬＥＤ負荷に対応する複数の巻線から構成される。また、前述のようにインピーダンスが互いに異なる各ＬＥＤ負荷ＬＤ１〜ＬＤ４に流れる電流を均衡化させるために、複数の巻線は互いに電磁結合される。
【００１６】
第１の整流平滑部４は、電流バランス部３により均衡化された交流電力を整流平滑し、直流電力としてＬＥＤ負荷群５に出力する。第１の整流平滑部４は、複数のＬＥＤ負荷に対応するダイオードＤ１〜Ｄ４とコンデンサＣ１〜Ｃ４とから構成される。なお、コンデンサに付した＋記号は陽極（正極）示す。
【００１７】
ＬＥＤ負荷群５は、前述のようにインピーダンスが互いに異なるＬＥＤ負荷ＬＤ１〜ＬＤ４を有し、照明モジュール、ＬＥＤ表示装置或いは液晶テレビのバックライトモジュールを構成する。ＬＥＤ負荷ＬＤ１〜ＬＤ４のそれぞれは、例えば同数の白色ＬＥＤが直列接続された構成を有する。図１におけるＬＥＤ負荷の並列数は４であるが、これに限定されるものではない。また、ＬＥＤ負荷を構成する白色ＬＥＤの直列数も任意の数とすることができる。
【００１８】
電流検出部７は、ＬＥＤ負荷ＬＤ１〜ＬＤ４のそれぞれを流れる電流を一括して検出し、所定の電流設定値との差分を電流検出信号として電力制御部６に出力する。電流検出部７は、例えばＬＥＤ負荷ＬＤ１〜ＬＤ４のカソードに接続される検出抵抗Ｒｓと誤差増幅器（オペアンプ）とを備える。所定の電流設定値は、任意の固定値でも良く、図示しない外部信号により変化する可変値でも良い。
【００１９】
電力制御部６は、電流検出部７の電流検出信号に基づきＬＥＤ負荷群に流れる電流を制御し、ＬＥＤ素子の明るさを調整する。電力制御部６は、図２（ｂ）に示すように、例えばリアクトルＬとスイッチング素子ＱとダイオードＤとを有する昇圧チョッパ回路から構成される。リアクトルＬの一端は第２の整流平滑部８の出力端子に接続され、他端はダイオードＤのアノードとスイッチング素子Ｑの一端とに接続される。ダイオードＤのカソードは、コンデンサＣ０の一端と第１の整流平滑部４のコンデンサＣ１〜Ｃ４に接続される。スイッチング素子Ｑの他端はコンデンサＣ０の他端及びグランドに接続される。スイッチング素子Ｑの制御端子は電流検出部７に接続され、電流検出信号が入力する。即ち、電力制御部６の入力端子は第２の整流平滑部８の出力端子に接続され、その出力端子は第１の整流平滑部４に接続される。本実施形態に係る電力制御部６は、電流検出信号に応じて第２の整流平滑部８の出力電圧を変換し、コンデンサＣ０の両端電圧を制御することで、第１の整流平滑部４のコンデンサＣ１〜Ｃ４の両端電圧を昇圧し、ＬＥＤ負荷群５を所望の明るさに制御する。
【００２０】
第２の整流平滑部８は、トランスＴの第１の二次巻線Ｎｓ１から供給される交流電圧を整流平滑し、直流電力として電力制御部６及び直流負荷１１に出力する。第２の整流平滑部８は第１の整流平滑部４と同様にダイオードとコンデンサとから構成される。
【００２１】
直流負荷１１は、例えば液晶テレビの液晶ドライバや画像処理回路、ＬＥＤ表示装置の制御回路、或いは周辺機器を構成する。
【００２２】
負荷電圧検出部９は、第２の整流平滑部８の出力電圧を検出し、第１又は第２の基準値との差分を電圧検出信号としてスイッチ制御手段２２に出力する。即ち、スイッチ制御手段２２にフィードバックされた電圧検出信号により、スイッチ制御手段２２は、スイッチング回路２１を構成するスイッチング素子ＱＨ及びＱＬを制御して、第２の整流平滑部８の出力電圧を所望の電圧に維持する。
【００２３】
ここで、ＬＥＤの電圧Ｖｆ（順電圧）と電流Ｉｆ（順電流）の特性について説明する。図３はＬＥＤの電圧Ｖｆ−電流Ｉｆ特性の具体例を示している。図３に示されるように、一般に、ＬＥＤは或る電圧Ｖｆ以下になると電流Ｉｆは約０Ａとなる特性を示す。図３の特性では約２．４Ｖ以下の電圧Ｖｆになると、流れる電流Ｉｆは非常に小さく（略０Ａに）なる。
【００２４】
したがって、ＬＥＤ負荷ＬＤ１〜ＬＤ４を消灯する場合は、第１の二次巻線Ｎｓ１、又は第１の二次巻線Ｎｓ１と同一トランスＴに巻かれた第２の二次巻線Ｎｓ２の電圧を第２の整流平滑部８で平滑し、その電圧を電力制御部６により電圧制御することにより、第１の二次巻線Ｎｓ１から電流バランス部３を介して整流平滑した電圧が、ＬＥＤ負荷ＬＤ１〜ＬＤ４に電流が流れなくなる電圧（図３に示した特性では、ＬＥＤ１個あたり２．４Ｖ以下、例えば２Ｖ）にすることで、ＬＥＤ負荷ＬＤ１〜ＬＤ４を消灯することができる。
【００２５】
一方、ＬＥＤ負荷ＬＤ１〜ＬＤ４を点灯する場合は、電力制御部６によりＬＥＤ素子に電流が流れる電圧、例えばＬＥＤ素子１個あたり３．４Ｖにすることで、ＬＥＤ素子に約３０ｍＡ流すことができ、ＬＥＤ負荷ＬＤ１〜ＬＤ４を点灯することができる。
【００２６】
図１に示すように、電力供給手段２を構成するスイッチ制御手段２２には、負荷電圧検出部９からの電圧検出信号が入力されている。ＬＥＤ負荷ＬＤ１〜ＬＤ４を消灯させる場合、スイッチ制御手段２２は、電圧検出信号を第１の基準値に近付けるようにスイッチング回路２１を制御する。また、ＬＥＤ負荷ＬＤ１〜ＬＤ４を消灯させる場合、スイッチ制御手段２２は、電圧検出信号を第２の基準値に近付けるようにスイッチング回路２１を制御する。本実施形態において、スイッチ制御手段２２は電圧検出信号に応じてスイッチング素子ＱＨ及びＱＬの動作周波数を変調するように構成される。なお、第１の基準値は第２の基準値よりも大きい値である。
【００２７】
本実施形態に係るＬＥＤ駆動装置１００は、前述のように、直流負荷１１に電力を供給する第２の整流平滑部８の出力電圧を制御すると同時に、第１の整流平滑部４のコンデンサＣ１〜Ｃ４の両端電圧をトランスＴの各巻線の巻数比に応じて制御することができる。さらに、ＬＥＤ負荷群５に流れる電流に応じて第１の整流平滑部４のコンデンサＣ１〜Ｃ４の両端電圧を制御することで、ＬＥＤ負荷群５の明るさを制御することができる。また、電流バランス部３は、巻線の電磁結合によりＬＥＤ負荷ＬＤ１〜ＬＤ４のそれぞれを流れる電流を均衡化することができる。
【実施例２】
【００２８】
図４は、本発明の第２の実施形態に係るＬＥＤ駆動装置２００の回路構成を示した図である。ＬＥＤ駆動装置２００は、第１の実施形態で示したＬＥＤ駆動装置１００に対し、第３の二次巻線Ｎｓ３と第３の整流平滑部１０を追加し、第３の整流平滑部１０と電力制御部６とを接続した点が異なる。
【００２９】
第３の整流平滑部１０は、トランスＴの第３の二次巻線Ｎｓ３から供給される交流電圧を整流平滑し、直流電力として電力制御部６に出力する。第３の整流平滑部１０は第２の整流平滑部８と同様にダイオードとコンデンサとから構成される。
【００３０】
電力制御部６は、第１の実施形態と同様に昇圧チョッパ回路から構成され、リアクトルＬの一端は第３の整流平滑部１０の出力端子に接続される。本実施形態に係る電力制御部６は、電流検出信号に応じて第３の整流平滑部１０の出力電圧を変換し、コンデンサＣ０の両端電圧を制御することで、ＬＥＤ負荷群５を所望の明るさに制御する。
【００３１】
本実施形態に係るＬＥＤ駆動装置２００は、第１の実施形態に係るＬＥＤ駆動装置１００と同様に、ＬＥＤ負荷群５の明るさを制御することができ、ＬＥＤ負荷ＬＤ１〜ＬＤ４のそれぞれを流れる電流を均衡化することができる。
【実施例３】
【００３２】
図５は、  本発明の第３の実施形態に係るＬＥＤ駆動装置３００の回路構成を示した図である。ＬＥＤ駆動装置３００は、第２の実施形態で示したＬＥＤ駆動装置２００に対し、第１の整流平滑部４を構成するダイオードＤ１〜Ｄ４及びコンデンサＣ１〜Ｃ４とＬＥＤ負荷ＬＤ１〜ＬＤ４の極性を逆向きに接続し、電力制御部６の出力端子をＬＥＤ負荷群５に接続し、電流検出部７を第１の整流平滑部４に接続した点が異なる。
【００３３】
電流制御部６を構成するリアクトルＬの一端は第３の整流平滑部１０の出力端子に接続され、他端はダイオードＤのアノードとスイッチング素子Ｑの一端とに接続される。ダイオードＤのカソードは、コンデンサＣ０の一端とＬＥＤ負荷ＬＤ１〜ＬＤ４のアノードに接続される。
【００３４】
電流検出部７は、第１の整流平滑部３のダイオードＤ１〜Ｄ４及びコンデンサＣ１〜Ｃ４に接続される検出抵抗Ｒｓと誤差増幅器とを備え、ダイオードＤ１〜Ｄ４及びコンデンサＣ１〜Ｃ４を流れる電流を一括して検出し、所定の電流設定値との差分を電流検出信号として電力制御部６に出力する。
【００３５】
本実施形態に係る電力制御部６は、電流検出信号に応じて第３の整流平滑部１０の出力電圧を変換し、ＬＥＤ負荷ＬＤ１〜ＬＤ４のアノード電圧を制御することで、ＬＥＤ負荷群５を所望の明るさに制御する。
【００３６】
本実施形態に係るＬＥＤ駆動装置３００は、第１の実施形態に係るＬＥＤ駆動装置１００と同様に、ＬＥＤ負荷群５の明るさを制御することができ、ＬＥＤ負荷ＬＤ１〜ＬＤ４のそれぞれを流れる電流を均衡化することができる。
【実施例４】
【００３７】
図６は、本発明の第４の実施形態に係るＬＥＤ駆動装置４００の回路構成を示した図である。ＬＥＤ駆動装置４００は、第１の実施形態で示したＬＥＤ駆動装置２００に対し、ＬＥＤ負荷群５と電流検出部７との間にスイッチＳＷ１を接続し、スイッチＳＷ１を制御するためのスイッチ制御手段１２を設けた点が異なる。
【００３８】
スイッチＳＷ１及びスイッチ制御手段１２は、ＬＥＤ負荷群５に流れる直流電流を間欠制御することで、ＬＥＤ負荷群５をＰＷＭ調光するために設けられる。スイッチＳＷ１は、トランジスタ又はＭＯＳＦＥＴから構成され、その制御端子には調光手段１２の出力信号（ＰＷＭ信号）が入力する。
【００３９】
調光手段１２は、例えばＬＥＤ駆動装置４００の外部から入力する外部信号に基づき、ＰＷＭ信号のデューティ比率（オン幅）を変調させてスイッチＳＷ１の制御端子に出力する。スイッチＳＷ１及び調光手段１２は、第１の整流平滑部３のコンデンサと検出抵抗Ｒｓとの間に接続されても良い。
【００４０】
本実施形態に係るＬＥＤ駆動装置３００は、第１の実施形態に係るＬＥＤ駆動装置１００と同様に、ＬＥＤ負荷群５の明るさを制御することができ、ＬＥＤ負荷ＬＤ１〜ＬＤ４のそれぞれを流れる電流を均衡化することができる。また、ＬＥＤ負荷群５に流れる直流電流をより高精度に制御することができる。
【００４１】
図７は、  本発明に係るＬＥＤ駆動装置における電流バランス部３と第１の整流平滑部４との詳細な回路構成を示した図である。
【００４２】
第１の二次巻線Ｎｓ１には、巻線Ｓ４と巻線Ｎ１とコンデンサＣ１，Ｃ１１及びダイオードＤ１，Ｄ１１で構成される第１の半波２倍電圧整流回路とを有する第１の直列回路と、巻線Ｓ１と巻線Ｎ２とコンデンサＣ２，Ｃ１２及びダイオードＤ２，Ｄ１２で構成される第２の半波２倍電圧整流回路とを有する第２の直列回路と、巻線Ｓ２と巻線Ｎ３とコンデンサＣ３，Ｃ１３及びダイオードＤ３，Ｄ１３で構成される第３の半波２倍電圧整流回路とを有する第３の直列回路と、巻線Ｓ３と巻線Ｎ４とコンデンサＣ４，Ｃ１４及びダイオードＤ４，Ｄ１４で構成される第４の半波２倍電圧整流回路とを有する第４の直列回路とが接続されている。即ち、第１の整流平滑部４は倍電圧整流回路から構成され、第１乃至第４の半波２倍電圧整流回路の出力にＬＥＤ負荷ＬＤ１〜ＬＤ４が接続される。
【００４３】
巻線Ｎ１（Ｎ２、Ｎ３、Ｎ４）と巻線Ｓ１（Ｓ２、Ｓ３、Ｓ４）はダイオードの半波整流する電流が均衡化するように磁気的に結合されトランスＴ１（及びＴ２、Ｔ３、Ｔ４）を構成している。即ち、それぞれの直列回路が直列接続された２つの巻線を有し、２つの巻線のそれぞれがトランスの１次巻線及び２次巻線として電磁結合される。トランスＴ１（Ｔ２、Ｔ３、Ｔ４）の１次巻線Ｎ１（Ｎ２、Ｎ３、Ｎ４）と２次巻線Ｓ１（Ｓ２、Ｓ３、Ｓ４）とは磁気結合されているので、コンデンサＣ１〜Ｃ４には同一の電流が充電される。従って、コンデンサＣ１〜Ｃ４に接続されるＬＥＤ負荷ＬＤ１〜ＬＤ４は、インピーダンスが異なる場合でも均衡化された電流が流れることになる。
【００４４】
図８は、図７に示す  電流バランス部３の変形例としての回路構成を示した図である。
【００４５】
第１の二次巻線Ｎｓ１には、巻線Ｎ１とコンデンサＣ１，Ｃ１１及びダイオードＤ１，Ｄ１１で構成される第１の半波２倍電圧整流回路とから構成される第１の直列回路と、巻線Ｎ２とコンデンサＣ２，Ｃ１２及びダイオードＤ２，Ｄ１２で構成される第２の半波２倍電圧整流回路とから構成される第２の直列回路と、巻線Ｎ３とコンデンサＣ３，Ｃ１３及びダイオードＤ３，Ｄ１３で構成される第３の半波２倍電圧整流回路とから構成される第３の直列回路と、巻線Ｎ４とコンデンサＣ４，Ｃ１４及びダイオードＤ４，Ｄ１４で構成される第４の半波２倍電圧整流回路とから構成される第４の直列回路とが接続されている。
【００４６】
巻線Ｓ１と巻線Ｓ２と巻線Ｓ３と巻線Ｓ４とが閉ループで接続され、巻線Ｎ１（Ｎ２、Ｎ３、Ｎ４）と巻線Ｓ１（Ｓ２、Ｓ３、Ｓ４）とは、互いに電磁的に結合されトランスＴ１〜Ｔ４を構成する。即ちそれぞれの直列回路が１つの巻線を有し、それぞれの巻線に電磁結合された巻線が直列接続され閉ループを構成し、巻線Ｓ１と巻線Ｓ２と巻線Ｓ３と巻線Ｓ４には等しい電流が流れることになる。
【００４７】
図９は、図７に示す  第１の整流平滑部４の変形例としての回路構成を示した図である。
【００４８】
第１の二次巻線Ｎｓ１には、巻線Ｓ４と巻線Ｎ１とコンデンサＣ１及びダイオードＤ１で構成される第１の半波整流回路とを有する第１の直列回路と、巻線Ｓ１と巻線Ｎ２とコンデンサＣ２及びダイオードＤ２で構成される第２の半波整流回路とを有する第２の直列回路と、巻線Ｓ２と巻線Ｎ３とコンデンサＣ３及びダイオードＤ３で構成される第３の半波整流回路とを有する第３の直列回路と、巻線Ｓ３と巻線Ｎ４とコンデンサＣ４及びダイオードＤ４で構成される第４の半波整流回路とを有する第４の直列回路とが接続されている。さらに、コンデンサＣ１〜Ｃ４には、コンデンサＣ１０とダイオードＤ１０との直列回路を介して巻線Ｓ１〜Ｓ４が接続される。即ち、第１の整流平滑部４は半波整流回路を含んで構成され、第１乃至第４の半波整流回路の出力にＬＥＤ負荷ＬＤ１〜ＬＤ４が接続される。
【００４９】
前述のようにコンデンサＣ１０とダイオードＤ１０とから構成される直列回路を接続することで、半波整流回路に電流が流れない期間の電流をこの直列回路を介してＬＥＤ負荷群５に供給することができる。
【００５０】
図１０は、図７に示す電力供給手段２及び第１の整流平滑部４の変形例としての回路構成を示した図である。
【００５１】
第１の二次巻線Ｎｓ１をＬＥＤ負荷ＬＤ１〜ＬＤ４に対応するように巻線Ｎｓ１１〜Ｎｓ１４に分割している。巻線Ｎｓ１１には、巻線Ｓ１と巻線Ｎ２とコンデンサＣ２及びダイオードブリッジＤＢ２で構成される第１の全波整流回路とを有する第１の直列回路が接続され、巻線Ｎｓ１２には、巻線Ｓ２と巻線Ｎ３とコンデンサＣ３及びダイオードブリッジＤＢ３で構成される第２の全波整流回路とを有する第２の直列回路が接続され、巻線Ｎｓ１３には、巻線Ｓ３と巻線Ｎ４とコンデンサＣ４及びダイオードブリッジＤＢ４で構成される第３の全波整流回路とを有する第３の直列回路が接続され、巻線Ｎｓ１４には、巻線Ｓ４と巻線Ｎ１とコンデンサＣ４及びダイオードブリッジＤＢ４で構成される第２の全波整流回路とを有する第４の直列回路が接続される。即ち、電力供給手段２が出力する交番電力を全波整流してＬＥＤ負荷群５に供給することができる。
【００５２】
以上、本発明の実施形態の一例について説明したが、本発明は係る特定の実施例に限定されるものではなく、特許請求の範囲に記載された本発明の要旨の範囲内において、種々の変形、変更が可能である。例えば、ＬＥＤ負荷ＬＤ１〜ＬＤ２を構成するＬＥＤ素子は、白色ＬＥＤに限らずＲ，Ｇ，Ｂ等のＬＥＤ素子であっても良い。また、ＬＥＤ素子の直列数は系統ごとに異なっていても良い。また、電力供給手段２は、フライバック型スイッチング電源装置或いはアクティブクランプ型スイッチング電源装置で構成されても良い。
【符号の説明】
【００５３】
１    直流電源
２    電力供給手段
３    電流バランス部
４    第１の整流平滑部
５    ＬＥＤ負荷群
６    電力制御手段
７    電流検出部
８    第２の整流平滑部
９    負荷電圧検出部
１０  第３の整流平滑部
１１  直流負荷
２１  スイッチング回路
２２  スイッチ制御手段
ＬＤ１〜ＬＤ４  ＬＥＤ負荷
【図１】
0005471752.tif 000002
【図２】
0005471752.tif 000003
【図３】
0005471752.tif 000004
【図４】
0005471752.tif 000005
【図５】
0005471752.tif 000006
【図６】
0005471752.tif 000007
【図７】
0005471752.tif 000008
【図８】
0005471752.tif 000009
【図９】
0005471752.tif 000010
【図１０】
0005471752.tif 000011